【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
光ピックアップであって、
波長λ１の光を出射する第１のレーザ光源と、
波長λ２（ただしλ１＜λ２）の光を出射する第２のレーザ光源と、
前記波長λ1の光路に配置され、光軸方向に移動可能な球面収差補正用光学素子と、
前記球面収差補正用光学素子の位置を検出する位置検出センサと、
前記第１のレーザ光源から出射された光を、Ｌ０層とＬ１層の２つの記録層を有する第１の情報記録媒体に集光可能な第１の対物レンズと、
前記第２のレーザ光源から出射された光を第２の情報記録媒体に集光可能な第２の対物レンズと、
前記情報記録媒体からの反射光を検出する光検出器とを備え、
前記球面収差補正用光学素子の初期位置が、前記Ｌ０層と前記Ｌ１層との中間位置で、前記第１の対物レンズで集光される集光スポットが最良となるように設定されており、
初期動作時に、前記位置検出センサからの出力信号に基づいて、前記球面収差補正用光学素子が前記初期位置に移動することを特徴とする光ピックアップ。
【請求項２】
請求項１に記載の光ピックアップおいて、前記集光スポットが最良とは、総合波面収差が最小又はスポット径が最小の状態であることを特徴とする光ピックアップ。
【請求項３】
請求項１に記載の光ピックアップおいて、
前記第１の対物レンズは、波長λ１の平行光が入射した場合に、前記第１の情報記録媒体のＬ０層とＬ１層の中間位置で集光スポットが最良となるように設定されていることを特徴とする光ピックアップ。
【請求項４】
請求項１に記載の光ピックアップおいて、前記第１の情報記録媒体のＬ０層を記録又は再生する際に、前記第１の対物レンズに発散光が入射されるように、前記球面収差補正用光学素子の位置が調整されることを特徴とする光ピックアップ。
【請求項５】
請求項１に記載の光ピックアップおいて、前記第１の情報記録媒体のＬ１層を記録又は再生する際に、前記第１の対物レンズに収束光が入射されるように、前記球面収差補正用光学素子の位置が調整されることを特徴とする光ピックアップ。
【請求項６】
請求項１に記載の光ピックアップおいて、前記光検出器の出力信号に基づいて前記第１の対物レンズに前記波長λ１の発散光または収束光が入射するように前記球面収差補正光学素子の位置が微調整されることを特徴とする光ピックアップ。
【請求項７】
請求項１に記載の光ピックアップおいて、前記球面収差補正用光学素子は、前記第１の情報記録媒体のＬ０層を記録又は再生するときは、前記情報記録媒体の保護層の表面から略０．１ｍｍの位置において集光スポットが最良となるように移動し、前記Ｌ１層を記録又は再生するときは、前記保護層の表面から略０．０７５ｍｍの位置において集光スポットが最良となる位置に移動することを特徴とする光ピックアップ。
【請求項８】
請求項１に記載の光ピックアップおいて、
さらに、波長λ３の光を出射する第３のレーザ光源を有し、
前記第２の対物レンズは、波長λ２の光をＤＶＤの情報記録面に、波長λ３の光をＣＤの情報記録面に集光可能としたことを特徴とする光ピックアップ。
【請求項９】
請求項１に記載の光ピックアップおいて、前記第１の対物レンズおよび第２の対物レンズは前記情報記録媒体の半径方向または接線方向に並べて配置されていることを特徴とする光ピックアップ。
【請求項１０】
光ピックアップであって、
異なる波長の光を出射する２つ以上のレーザ光源と、
前記レーザ光源から出射された光を共通光路に進行させるハーフミラーと、
前記共通光路に配置された球面収差補正用光学素子と、
前記球面収差補正光学素子の位置を検出する位置検出センサと、
前記レーザ光源から出射された波長の異なる光をいずれも、情報記録媒体に集光可能な１個の対物レンズと、
前記情報記録媒体からの反射光を検出する光検出器を備え、
前記情報記録媒体に対してフォーカス引込み動作を行う前に、前記位置検出センサからの出力信号により、前記異なる波長の光の内、所定波長の光を用いて記録再生を行う前記情報記録媒体の所定の記録面で集光スポットが最良となるように前記球面収差補正用光学素子の位置が調整されることを特徴とする光ピックアップ。
【請求項１１】
請求項１０に記載の光ピックアップおいて、前記集光スポットが最良とは、総合波面収差が最小又はスポット径が最小の状態であることを特徴とする光ピックアップ。
【請求項１２】
請求項１０に記載の光ピックアップおいて、
前記情報記録媒体がＬ０層とＬ１層の２つの記録層を有する場合に、前記対物レンズは、波長λ１の平行光が入射した場合に、前記情報記録媒体のＬ０層とＬ１層の中間位置で集光スポットが最良となるように設定されていることを特徴とする光ピックアップ。
【請求項１３】
請求項１０に記載の光ピックアップおいて、前記情報記録媒体は、光入射側から順にＬ１層とＬ０層の２つの記録層を有しており、
前記所定の記録面が前記Ｌ０層の時には、前記対物レンズに発散光が入射されるように、前記球面収差補正用光学素子の位置が調整されることを特徴とする光ピックアップ。
【請求項１４】
請求項１０に記載の光ピックアップおいて、前記情報記録媒体は、光入射側から順にＬ１層とＬ０層の２つの記録層を有しており、
前記所定の記録面が前記Ｌ１層の時には、前記対物レンズに収束光が入射されるように、前記球面収差補正用光学素子の位置が調整されることを特徴とする光ピックアップ。
【請求項１５】
請求項１０に記載の光ピックアップおいて、前記光検出器の出力信号に基づいて前記対物レンズに前記所定波長の発散光または収束光が入射するように前記球面収差補正光学素子の位置が微調整されることを特徴とする光ピックアップ。
【請求項１６】
光ピックアップと、制御部とを備える光学的情報再生装置であって、
前記光ピックアップは、波長λ１の光を出射する第１のレーザ光源と、波長λ２（ただしλ１＜λ２）の光を出射する第２のレーザ光源と、前記波長λ1の光路に配置され、光軸方向に移動可能な球面収差補正用光学素子と、前記球面収差補正用光学素子の位置を検出する位置検出センサと、前記第１のレーザ光源から出射された光を、Ｌ０層とＬ１層の２つの記録層を有する第１の情報記録媒体に集光可能な第１の対物レンズと、前記第２のレーザ光源から出射された光を第２の情報記録媒体に集光可能な第２の対物レンズと、前記情報記録媒体からの反射光を検出する光検出器とを備え、前記球面収差補正用光学素子の初期位置が、前記Ｌ０層と前記Ｌ１層との中間位置で、前記第１の対物レンズで集光される集光スポットが最良となるように設定され、初期動作時に、前記位置検出センサからの出力信号に基づいて、前記球面収差補正用光学素子を前記初期位置に移動するものであり、
前記制御部は、前記光ピックアップがフォーカス引き込み動作を行う前に、前記光ピックアップを制御して前記第１の対物レンズに発散光が入射されるように前記球面収差補正用光学素子の位置を前記初期位置から移動させることを特徴とする光学的情報再生装置。
【請求項１７】
光ピックアップと、制御部とを備える光学的情報再生装置であって、
前記光ピックアップは、波長λ１の光を出射する第１のレーザ光源と、波長λ２（ただしλ１＜λ２）の光を出射する第２のレーザ光源と、前記波長λ1の光路に配置され、光軸方向に移動可能な球面収差補正用光学素子と、前記球面収差補正用光学素子の位置を検出する位置検出センサと、前記第１のレーザ光源から出射された光を、Ｌ０層とＬ１層の２つの記録層を有する第１の情報記録媒体に集光可能な第１の対物レンズと、前記第２のレーザ光源から出射された光を第２の情報記録媒体に集光可能な第２の対物レンズと、前記情報記録媒体からの反射光を検出する光検出器とを備え、前記球面収差補正用光学素子の初期位置が、前記Ｌ０層と前記Ｌ１層との中間位置で、前記第１の対物レンズで集光される集光スポットが最良となるように設定され、初期動作時に、前記位置検出センサからの出力信号に基づいて、前記球面収差補正用光学素子が前記初期位置に移動するものであり、
前記制御部は、前記光ピックアップがフォーカス引き込み動作を行った後に、前記光ピックアップを制御して、前記光検出器の出力信号により前記第１の対物レンズに前記波長λ１の所定の発散光又は収束光が入射するように前記球面収差補正用光学素子の位置を微調整することを特徴とする光学的情報再生装置。
【請求項１８】
光ピックアップと、制御部とを備える光学的情報再生装置であって、
前記光ピックアップは、異なる波長の光を出射する２つ以上のレーザ光源と、前記レーザ光源から出射された光を共通光路に進行させるハーフミラーと、前記共通光路に配置された球面収差補正用光学素子と、前記球面収差補正光学素子の位置を検出する位置検出センサと、前記レーザ光源から出射された光をいずれも情報記録媒体に集光可能な１個の対物レンズと、前記情報記録媒体からの反射光を検出する光検出器を備え、前記情報記録媒体に対してフォーカス引込み動作を行う前に、前記位置検出センサからの出力信号により、前記異なる波長の光の内、所定波長の光を用いて記録再生を行う前記情報記録媒体の所定の記録面で集光スポットが最良となるように前記球面収差補正用光学素子の位置が調整されるものであり、
前記制御部は、前記光ピックアップがフォーカス引き込み動作を行う前に、前記光ピックアップを制御して前記対物レンズに発散光が入射されるように前記球面収差補正用光学素子の位置を前記初期位置から移動させることを特徴とする光学的情報再生装置。
【請求項１９】
光ピックアップと、制御部とを備える光学的情報再生装置であって、
前記光ピックアップは、波長λ１の光を出射する第１のレーザ光源と、波長λ２（ただしλ１＜λ２）の光を出射する第２のレーザ光源と、前記波長λ1の光路に配置され、光軸方向に移動可能な球面収差補正用光学素子と、前記球面収差補正用光学素子の位置を検出する位置検出センサと、前記第１のレーザ光源から出射された光を、Ｌ０層とＬ１層の２つの記録層を有する第１の情報記録媒体に集光可能な第１の対物レンズと、前記第２のレーザ光源から出射された光を第２の情報記録媒体に集光可能な第２の対物レンズと、前記情報記録媒体からの反射光を検出する光検出器とを備え、前記球面収差補正用光学素子の初期位置が、前記Ｌ０層と前記Ｌ１層との中間位置で、前記第１の対物レンズで集光される集光スポットが最良となるように設定され、初期動作時に、前記位置検出センサからの出力信号に基づいて、前記球面収差補正用光学素子が前記初期位置に移動するものであり、
前記制御部は、前記光ピックアップの球面収差補正用光学素子の位置を、前記位置検出センサの出力信号と前記光検出器の出力信号とに基づいて前記第１の情報記録媒体のＬ０層又はＬ１層において集光スポットが最良となるように変更調整させた後に、フォーカス引き込み動作を行うよう制御することを特徴とする光学的情報再生装置。
【請求項２０】
光ピックアップと、制御部とを備える光学的情報再生装置であって、
前記光ピックアップは、異なる波長の光を出射する２つ以上のレーザ光源と、前記レーザ光源から出射された光を共通光路に進行させるハーフミラーと、前記共通光路に配置された球面収差補正用光学素子と、前記球面収差補正光学素子の位置を検出する位置検出センサと、前記レーザ光源から出射された光をいずれも情報記録媒体に集光可能な１個の対物レンズと、前記情報記録媒体からの反射光を検出する光検出器を備え、前記情報記録媒体に対してフォーカス引込み動作を行う前に、前記位置検出センサからの出力信号により、前記異なる波長の光の内、所定波長の光を用いて記録再生を行う前記情報記録媒体の所定の記録面で集光スポットが最良となるように前記球面収差補正用光学素子の位置が調整されるものであり、
前記制御部は、前記光ピックアップの球面収差補正用光学素子の位置を、前記位置検出センサの出力信号と前記光検出器の出力信号とに基づいて前記情報記録媒体のＬ０層又はＬ１層において集光スポットが最良となるように変更調整させた後に、フォーカス引き込み動作を行うよう制御することを特徴とする光学的情報再生装置。
【請求項２１】
光ピックアップと、制御部とを備える光学的情報再生装置であって、
前記光ピックアップは、波長λ１の光を出射する第１のレーザ光源と、波長λ２（ただしλ１＜λ２）の光を出射する第２のレーザ光源と、前記波長λ1の光路に配置され、光軸方向に移動可能な球面収差補正用光学素子と、前記球面収差補正用光学素子の位置を検出する位置検出センサと、前記第１のレーザ光源から出射された光を、Ｌ０層とＬ１層の２つの記録層を有する第１の情報記録媒体に集光可能な第１の対物レンズと、前記第２のレーザ光源から出射された光を第２の情報記録媒体に集光可能な第２の対物レンズと、前記情報記録媒体からの反射光を検出する光検出器とを備え、前記球面収差補正用光学素子の初期位置が、前記Ｌ０層と前記Ｌ１層との中間位置で、前記第１の対物レンズで集光される集光スポットが最良となるように設定され、初期動作時に、前記位置検出センサからの出力信号に基づいて、前記球面収差補正用光学素子が前記初期位置に移動するものであり、
前記制御部は、前記情報記録媒体のイジェクト命令が下され、前記情報記録媒体がイジェクトされるまでの間、又は前記光学的情報再生装置の電源が切断されるまでの間に、前記光学的情報再生装置の動作中に獲得した前記球面収差補正用光学素子の最適位置に関する情報を記憶することを特徴とする光学的情報再生装置。
【請求項２２】
光ピックアップと、制御部とを備える光学的情報再生装置であって、
前記光ピックアップは、異なる波長の光を出射する２つ以上のレーザ光源と、前記レーザ光源から出射された光を共通光路に進行させるハーフミラーと、前記共通光路に配置された球面収差補正用光学素子と、前記球面収差補正光学素子の位置を検出する位置検出センサと、前記レーザ光源から出射された光をいずれも情報記録媒体に集光可能な１個の対物レンズと、前記情報記録媒体からの反射光を検出する光検出器を備え、前記情報記録媒体に対してフォーカス引込み動作を行う前に、前記位置検出センサからの出力信号により、前記異なる波長の光の内、所定波長の光を用いて記録再生を行う前記情報記録媒体の所定の記録面で集光スポットが最良となるように前記球面収差補正用光学素子の位置が調整されるものであり、
前記制御部は、前記情報記録媒体のイジェクト命令が下され前記情報記録媒体がイジェクトされるまでの間、又は前記光学的情報再生装置の電源が切断されるまでの間に、前記光学的情報再生装置の動作中に獲得した前記球面収差補正用光学素子の最適位置に関する情報を記憶することを特徴とする光学的情報再生装置。
【請求項２３】
請求項２１又は２２記載の光学的情報再生装置において、
前記制御部は、前記光学的情報再生装置の電源が入ると略同時に前記最適位置に関する情報を参照し、当該最適位置に関する情報が前記光ピックアップにフィードバックされるよう制御することを特徴とする光学的情報再生装置。